(57)【要約】【課題】装置からの排水を適切に蓄積し、設備フロアの衛生面および安全性を確保する。【解決手段】容器１０の上面に排水ホース１００を挿入するための貫通孔１１と空気を通すための空気穴１２を備え、排水ホース１００の端点にスポンジ１３を取り付けて、スポンジ１３を貫通孔１１で把持する。スポンジ１３は、スポンジ１３の外側から排水ホース１００を収納する挿入部１３１に貫通するピンホール１３２を備える。さらに、排水ホース１００を容器１０の把持部１５に固定する。【選択図】図１
2020158144.tif 000002
【特許請求の範囲】
【請求項１】
排水ホースに取り付けられる排水蓄積容器であって、
容器と、
前記容器の上部に形成された、前記排水ホースを前記容器を貫通して取り付けるための貫通孔と、
前記排水ホースの端点に取り付けられるスポンジと、
前記容器の上部に形成された空気を通すための空気穴と、を備える
ことを特徴とする排水蓄積容器。
【請求項２】
前記スポンジは、当該スポンジの外側から当該スポンジの内部の前記排水ホースを取り付ける内部空間まで貫通するピンホールを備える
ことを特徴とする請求項１に記載の排水蓄積容器。
【請求項３】
前記空気穴の内周空間に取り付けられた第２のスポンジを備える
ことを特徴とする請求項１または２に記載の排水蓄積容器。
【請求項４】
前記排水ホースは、前記容器の上面に貫通して取り付けられ、
前記容器の上部に前記排水ホースを固定するための固定部を備える
ことを特徴とする請求項１乃至３のいずれかに記載の排水蓄積容器。
【請求項５】
前記排水ホースは、前記容器の側面に貫通して取り付けられ、
前記排水ホースが前記容器の内部で下方向に向くように取り付けられる錘を備える
ことを特徴とする請求項１乃至３のいずれかに記載の排水蓄積容器。
【発明の詳細な説明】
【技術分野】
【０００１】
本発明は、装置から排出される排水を蓄積する容器に関する。
【背景技術】
【０００２】
地下設備内に配設されるメタルケーブルの保守のために、乾燥空気供給装置からメタルケーブル内にガス（乾燥空気）を一定圧力で供給する。メタルケーブル内の圧力を外部よりも高く保ち、水分の侵入を防ぐ。
【０００３】
乾燥空気供給装置は設備ビル内に配置され、設備ビルからメタルケーブル内にガスを供給する。乾燥空気供給装置には、除湿で生じた水を排出する排水ホースが接続されている。除湿で生じた水は、空気とともにコンプレッサで排水ホースから勢いよく排出される。
【先行技術文献】
【非特許文献】
【０００４】
【非特許文献１】“通信用保守監視システム製品  乾燥空気供給装置”、［online］、株式会社スズキ技研、［平成31年3月11日検索］、インターネット〈URL：http://www.sg21.co.jp/trade_sample/trade_sample02/trade_sample02_01.html〉
【発明の概要】
【発明が解決しようとする課題】
【０００５】
排水を屋外へ排出する設備の無い設備フロアでは、乾燥空気供給装置の排水ホースは床に置かれ、排水が設備フロアの床に垂れ流されている。排水が床に垂れ流されたままであると、床のタイルが腐食して剥がれて不衛生であったり、床が濡れて転びやすくなったりする。また、湿気による周辺機器への影響が懸念され、排水ホースの周囲の金属の腐食も問題となる。
【０００６】
排水ホースの端点（水および空気が排出される口）をペットボトルに入れ、排水をペットボトルに蓄積する方法を試したが、排水ホースからは水と空気が勢いよく排出されるため、水がペットボトルから外に吹き出してしまうという問題があった。排水の問題を根本的に解決するためには、設備ビルに排水を屋外へ排出する必要があるが容易ではない。
【０００７】
本発明は、上記に鑑みてなされたものであり、装置からの排水を適切に蓄積し、設備フロアの衛生面および安全性を確保することを目的とする。
【課題を解決するための手段】
【０００８】
本発明に係る排水蓄積容器は、排水ホースに取り付けられる排水蓄積容器であって、容器と、前記容器の上部に形成された、前記排水ホースを前記容器を貫通して取り付けるための貫通孔と、前記排水ホースの端点に取り付けられるスポンジと、前記容器の上部に形成された空気を通すための空気穴と、を備えることを特徴とする。
【０００９】
上記排水蓄積容器において、前記スポンジは、当該スポンジの外側から当該スポンジの内部の前記排水ホースを取り付ける内部空間まで貫通するピンホールを備えることを特徴とする。
【００１０】
上記排水蓄積容器において、前記空気穴の内周空間に取り付けられた第２のスポンジを備えることを特徴とする。
【００１１】
上記排水蓄積容器において、前記排水ホースは、前記容器の上面に貫通して取り付けられ、前記容器の上部に前記排水ホースを固定するための固定部を備えることを特徴とする。
【００１２】
上記排水蓄積容器において、前記排水ホースは、前記容器の側面に貫通して取り付けられ、前記排水ホースが前記容器の内部で下方向に向くように取り付けられる錘を備えることを特徴とする。
【発明の効果】
【００１３】
本発明によれば、装置からの排水を適切に蓄積し、設備フロアの衛生面および安全性を確保することができる。
【図面の簡単な説明】
【００１４】
【図１】第１の実施形態における排水蓄積容器の側面図である。
【図２】第１の実施形態における排水蓄積容器の上面図である。
【図３】排水ホースに取り付けられるスポンジの構成を示す斜視図である。
【図４】スポンジが取り付けられた排水ホースを容器にセットする様子を示す図である。
【図５】排水ホースに取り付けられる別のスポンジの構成を示す側面図である。
【図６】２本の排水ホースを排水蓄積容器に取り付けた様子を示す図である。
【図７】第２の実施形態における排水蓄積容器の側面図である。
【図８】第２の実施形態における排水蓄積容器の上面図である。
【図９】排水ホースの先端部にスポンジと錘を取り付けた様子を示す図である。
【発明を実施するための形態】
【００１５】
以下、本発明の実施の形態について図面を用いて説明する。
【００１６】
［第１の実施形態］
図１は、第１の実施形態における排水蓄積容器１の側面図であり、図２は、排水蓄積容器１の上面図である。
【００１７】
本実施形態における排水蓄積容器１は、図１，２に示すように、容器１０、容器１０の上面に形成された貫通孔１１と空気穴１２、排水ホース１００の端点に取り付けられたスポンジ１３、空気穴１２の内周空間に取り付けられたスポンジ１４、容器１０の上面に形成された把持部１５、および把持部１５に排水ホース１００を固定する固定バンド１６を備える。
【００１８】
排水ホース１００は、例えば、設備ビル内の乾燥空気供給装置の排水ホースである。乾燥空気供給装置は、除湿で生じた水を空気とともにコンプレッサで排水ホース１００から排出する。排水ホース１００からは、水と空気が混ざって勢いよく排出される。なお、排水蓄積容器１は、乾燥空気供給装置の排水ホース１００以外にも適用できる。
【００１９】
容器１０は、排水ホース１００から排出される排水を蓄えるための容器である。容器１０は、蓄えられた排水量がひと目でわかるように、透明または半透明であるとよい。容器１０が色付きであっても、蓄えられた排水の影で排水量が分かればよい。例えば、両口で取っ手付きのポリタンクを利用できる。容器１０の容量は、例えば１０Ｌまたは２０Ｌなど、状況に応じて任意に選択できる。
【００２０】
貫通孔１１および空気穴１２は、容器１０の上面に形成され、容器１０の内外を貫通する穴である。貫通孔１１は、排水ホース１００の端点を容器１０の内部へ挿入するために用い、空気穴１２は、空気を抜く穴として用いる。例えば、ポリタンクの口を貫通孔１１および空気穴１２として利用できる。
【００２１】
スポンジ１３は、排水ホース１００の端点に取り付けられて、排水ホース１００から勢いよく排出される水の飛び散りを防止する。図３に示すように、スポンジ１３は、円柱状であり、円柱の上面から内部にかけて排水ホース１００を挿入するための挿入部１３１を備える。排水ホース１００は、スポンジ１３を貫通せずに端点が内部で留められる。スポンジ１３は、挿入部１３１を備えていれば、円柱状でなくてもよい。スポンジ１３を排水ホース１００に取り付ける際、排水ホース１００の先端部分にビニルテープを巻いてスポンジ１３を抜けにくくしてもよい。
【００２２】
スポンジ１３には、スポンジ１３の外側（側面および底面）からスポンジ１３の内部の排水ホース１００を取り付ける挿入部１３１まで貫通するピンホール１３２が複数個形成されている。ピンホール１３２は、針や針金などの細い棒をスポンジ１３の外側から挿入部１３１に向けて刺すことで形成できる。排水ホース１００から強い圧力で水や空気が排出されると、ピンホール１３２が広がり、空気（水を含んでも良い）がピンホール１３２を通ってスポンジ１３の外側へ抜けるので、排水ホース１００からスポンジ１３が外れることを防止できる。なお、排水蓄積容器１が倒れてしまった場合であっても、ピンホール１３２は広がらず、スポンジ１３から水がしみ出す程度であって、すぐに水がこぼれ出ることがない。
【００２３】
図４に示すように、排水ホース１００に取り付けたスポンジ１３は、キャップ１１１の内周空間に取り付けられ、キャップ１１１が貫通孔１１に対応する雄ネジ部１１２にはめられる。排水ホース１００の口は、容器１０の内部で真下方向に向けられる。キャップ１１１は、ポリタンクの口を塞ぐキャップにスポンジ１３を差し込む穴を開けたものを用いることができる。キャップ１１１の穴をスポンジ１３の外周よりも小さくすることで、スポンジ１３がしっかりと把持される。
【００２４】
また、図５に示すように、側面に谷部１３３と山部１３４を備えたスポンジ１３を用い、いずれか２つの山部１３４に挟まれた谷部１３３にキャップ１１１の上面を対応させて、スポンジ１３をキャップ１１１に取り付けてもよい。これにより、スポンジ１３がキャップ１１１から抜けにくくなる。
【００２５】
なお、キャップ１１１および雄ネジ部１１２を使用せず、スポンジ１３を貫通孔１１に直接取り付けてもよい。
【００２６】
別のスポンジ１４は、空気穴１２の内周空間に取り付けられる。排水ホース１００からは水に混じって空気も排出されるため、容器１０内の気圧の上昇を抑制する目的で空気穴１２を備える。
【００２７】
スポンジ１４は、空気穴１２の大きさ程度の円柱状である。スポンジ１３と同様に、キャップ１２１に開けた穴にスポンジ１４を差し込み、キャップ１２１を容器の雄ネジ部にはめる。スポンジ１４を空気穴１２に直接取り付けてもよい。空気穴１２をスポンジ１４で塞ぐことにより、排水蓄積容器１が倒れてしまった場合であっても、すぐに水がこぼれ出ることがなくなる。空気穴１２にスポンジ１４を取り付けなくてもよい。この場合、空気穴１２を小さくすると、排水蓄積容器１が倒れたときにこぼれ出る水の量を抑えることができる。
【００２８】
把持部１５は、排水蓄積容器１を持ち上げるための取っ手である。把持部１５は、容器１０の上面の中心付近において容器１０の上面の長手方向に沿って形成されている。容器１０内に溜まった排水を捨てるとき、把持部１５を持つことで容易に排水蓄積容器１を移動できる。
【００２９】
把持部１５に排水ホース１００を沿わせて、固定バンド１６で排水ホース１００と把持部１５をまとめて固定する。
【００３０】
排水ホース１００はスポンジ１３に差し込んでいるだけなので、排水ホース１００から水と空気が勢いよく排出されると、排水ホース１００がスポンジ１３から抜けてしまうおそれがある。排水ホース１００を把持部１５に固定することで、把持部１５において排水ホース１００の動きを抑えることができ、排水ホース１００がスポンジ１３から抜けてしまうことを抑止できる。
【００３１】
サイズの大きい乾燥空気供給装置は、複数の排水ホース１００を備えるものがある。複数の排水ホース１００が存在する場合、例えば図６に示すように、２本の排水ホース１００を把持部１５にまとめて固定し、２本の排水ホース１００の口を１つのスポンジ１３に挿入してもよい。
【００３２】
次に、本実施形態の排水蓄積容器１の使用方法について簡単に説明する。
【００３３】
まず、スポンジ１４をはめ込んだキャップ１２１を容器１０の空気穴１２に取り付ける。
【００３４】
続いて、排水ホース１００にスポンジ１３を取り付ける。排水ホース１００を取り付けたスポンジ１３をキャップ１１１にはめ込んでスポンジ１３をキャップ１１１に把持させる。スポンジ１３を貫通孔１１から容器１０内に入れつつ、キャップ１１１を雄ネジ部１１２にはめる。
【００３５】
最後に、排水ホース１００を把持部１５に固定バンド１６で固定する。
【００３６】
以上により排水蓄積容器１の設置が完了する。梅雨の時期は、排水量が多いので容量の大きなものを使用したり、排水を捨てる頻度を多くしたりする。冬は、湿度が低いので、排水はあまり溜らない。
【００３７】
容器１０に排水が溜まった場合、固定バンド１６を外し、排水ホース１００をスポンジ１３から抜く。キャップ１１１，１２１には、スポンジ１３，１４がはめ込まれており、排水蓄積容器１を運ぶときに水がこぼれにくくなっているので、そのまま把持部１５を持って排水蓄積容器１を外に運ぶ。そして、キャップ１１１，１２１のいずれかを外して溜まった排水を捨てる。
【００３８】
排水が溜まったことを知らせる装置を容器１０内に設置し、アラートを管理者に発信してもよい。例えば、アラートを発信するスイッチを備えた装置を容器１０内に浮かべておく。スイッチは装置の上面に取り付けられる。つまり、スイッチを上にして装置が水に浮く状態とする。排水が溜まって、スイッチが容器１０の天井で押されると、アラートが管理者に発信される。
【００３９】
以上説明したように、本実施形態によれば、容器１０の上面に排水ホース１００を挿入するための貫通孔１１と空気を通すための空気穴１２を備え、排水ホース１００の端点にスポンジ１３を取り付けて、スポンジ１３を貫通孔１１で把持することにより、排水ホース１００から排出された水の勢いがスポンジ１３で弱められるので、排出を適切に蓄積し、設備フロアの衛生面および安全性を確保することができる。
【００４０】
本実施形態によれば、スポンジ１３が、スポンジ１３の外側から排水ホース１００を取り付ける挿入部１３１に貫通するピンホール１３２を備えることで、排水ホース１００から水に混じって排出される空気を効率よく通過させることができる。
【００４１】
本実施形態によれば、排水ホース１００を容器１０の把持部１５に固定することにより、排水ホース１００がスポンジ１３から抜けてしまうことを抑止できる。
【００４２】
なお、容器１０は、ポリタンクに限るものではない。例えば、容器１０として蓋付きのバケツを用い、蓋に貫通孔１１および空気穴１２を形成してもよい。
【００４３】
［第２の実施形態］
図７は、第２の実施形態における排水蓄積容器１の側面図であり、図８は、排水蓄積容器１の上面図である。
【００４４】
第２の実施形態における排水蓄積容器１は、容器１０、貫通孔１１、空気穴１２、排水ホース１００に取り付けられたスポンジ１３、および空気穴１２の内周空間に取り付けられたスポンジ１４を備え、さらに、排水ホース１００の先端部に取り付けられた錘１７と容器１０の蓋１０１を備える。
【００４５】
排水ホース１００を容器１０の内部に挿入するための貫通孔１１は、容器１０の上部の側面に形成される。排水ホース１００は、容器１０の側面から内部へ横方向に挿入される。例えば、容器１０の上部に形成した切り欠きを貫通孔１１としてもよい。切り欠きに排水ホース１００をはめた後、容器１０に蓋１０１をする。蓋１０１は、ロック機構１０２で容器１０に固定する。
【００４６】
排水ホース１００の端点に取り付けられたスポンジ１３は全体が容器１０内に収納される。つまり、第１の実施形態とは異なり、スポンジ１３は、貫通孔１１に把持されない。なお、第１の実施形態においても、スポンジ１３全体を容器１０の内部に入れてもよいが、キャップ１１１または貫通孔１１でスポンジ１３を把持すると、排水蓄積容器１が倒れても、こぼれ出ようとする水がスポンジ１３に吸収されるので、すぐに水がこぼれ出ることがない。
【００４７】
容器１０内部での排水ホース１００の向きによっては、容器１０と蓋１０１の隙間から水が吹き出すことがある。排水ホース１００の口を下方向に向かせるために、図９に示すように、排水ホース１００の先端部に錘１７が取り付けられる。錘１７によって排水ホース１００が下方向に向けられるので、水の吹き出しを抑制できる。なお、第１の実施形態では、貫通孔１１を容器１０の上面に備え、排水ホース１００を容器１０の上面から容器１０の内部に挿入したので、排水ホース１００の口は下方向に向けられる。
【００４８】
以上説明したように、本実施形態によれば、排水ホース１００の端点にスポンジ１３を取り付け、スポンジ１３の全体を容器１０内に収納し、排水ホース１００の先端部に錘１７を取り付けることにより、排水ホース１００の口を下方向に向けることができるので、水の吹き出しを抑制できる。
【符号の説明】
【００４９】
１…排水蓄積容器
１０…容器
１０１…蓋
１０２…ロック機構
１１…貫通孔
１１１…キャップ
１１２…雄ネジ部
１２…空気穴
１２１…キャップ
１３…スポンジ
１３１…挿入部
１３２…ピンホール
１３３…谷部
１３４…山部
１４…スポンジ
１５…把持部
１６…固定バンド
１７…錘
１００…排水ホース
【図１】
2020158144.tif 000003
【図２】
2020158144.tif 000004
【図３】
2020158144.tif 000005
【図４】
2020158144.tif 000006
【図５】
2020158144.tif 000007
【図６】
2020158144.tif 000008
【図７】
2020158144.tif 000009
【図８】
2020158144.tif 000010
【図９】
2020158144.tif 000011
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
排水ホースに取り付けられる排水蓄積容器であって、
容器と、
前記排水ホースの先端部分を挿入するための内部空間を備えるスポンジと、
前記容器の上面に形成され、前記スポンジに挿入された前記排水ホースを当該排水ホースの口を前記容器の内部に向けた状態で前記スポンジとともに把持する貫通孔と、
前記容器の上部に形成された空気を通すための空気穴と、を備える
ことを特徴とする排水蓄積容器。
【請求項２】
前記スポンジは、当該スポンジの外側から前記内部空間まで貫通するピンホールを備える
ことを特徴とする請求項１に記載の排水蓄積容器。
【請求項３】
前記空気穴の内周空間に取り付けられた第２のスポンジを備える
ことを特徴とする請求項１または２に記載の排水蓄積容器。
【請求項４】
前記容器の上部に前記排水ホースを固定するための固定部を備える
ことを特徴とする請求項１乃至３のいずれかに記載の排水蓄積容器。
【手続補正２】
【補正対象書類名】明細書
【補正対象項目名】０００８
【補正方法】変更
【補正の内容】
【０００８】
本発明に係る排水蓄積容器は、排水ホースに取り付けられる排水蓄積容器であって、容器と、前記排水ホースの先端部分を挿入するための内部空間を備えるスポンジと、前記容器の上面に形成され、前記スポンジに挿入された前記排水ホースを当該排水ホースの口を前記容器の内部に向けた状態で前記スポンジとともに把持する貫通孔と、前記容器の上部に形成された空気を通すための空気穴と、を備えることを特徴とする。
【手続補正３】
【補正対象書類名】明細書
【補正対象項目名】０００９
【補正方法】変更
【補正の内容】
【０００９】
上記排水蓄積容器において、前記スポンジは、当該スポンジの外側から前記内部空間まで貫通するピンホールを備えることを特徴とする。
【手続補正４】
【補正対象書類名】明細書
【補正対象項目名】００１２
【補正方法】削除
【補正の内容】